(57)【要約】      （修正有）【課題】容器本体の荷重の増減に応じて支持荷重を適応させて、パネル壁及び起立メッシュ面等の所望配置に容易簡単に設置し得る商品陳列容器を提供する。【解決手段】商品陳列容器１は、商品を収納する容器本体２とそれを下から支える支持部４とを備えて、容器本体２が支持部４を介して小強度のア−ム４０によっても支持可能で、かつ、支持部４が容器本体２の重量増大に対応して支持荷重の増大を可能にする構造にされている。【選択図】図１
2006014763.tif 000002
【特許請求の範囲】
【請求項１】
商品を収納する容器本体とそれを下から支える支持部とを備えて、下からア−
ムより支持される構造を備える商品陳列容器であって、
（１）容器本体が、背面を有する立体形状を有し、
（２）支持部が、ア−ムを受ける受け部を有して、容器本体の背面下端部若しく
はその近似領域の延長方向に設けられて、
（３）容器本体底部がア−ムの前部により支持されて、支持部の受け部がア−ム
の後部により支持される構造を有して、かつ、支持部の受け部でのア−ムによる
支持位置が容器本体底部でのア−ムによる支持位置よりも低位置になる構造を有
すること、を特徴とする商品陳列容器。
【請求項２】
下記（ａ）〜（ｊ）の特徴の一つ若しく複数を備えること、を特徴
とする請求項１に記載の商品陳列容器。
（ａ）前記容器本体は、全面的若しくは部分的に透明性プラスチックにより形成
されて視認可能で軽量な立体形状からなる。
（ｂ）前記容器本体は、開閉可能な商品出入口が設けられている。
（ｃ）前記ア−ムは、上方へ湾曲した先端部を有する陳列用金属中空ポ−ルが後
端部を取付金具に固定してなる。
（ｄ）前記ア−ムは、先端部が上方へ湾曲した形状を有する金属製細長体からな
る。
（ｅ）前記ア−ムは、斜め上方に伸びる中空ポ−ルからなる。
（ｆ）前記ア−ムは、無機高分子及び金属との複合体からなる。
（ｇ）前記ア−ムは、フレ−ム状からなる。
（ｈ）前記受け部は、支持部の長手方向中央の両側に設けた同じ高さの凹部の対
の組み合わせからなる。
（ｉ）前記容器本体は、背面の幅方向の上端から上方に突出片を形成することが
できる。
（ｊ）前記受け部は、ア−ムによる支持位置が可変可能な構造からなる。
【発明の詳細な説明】
【技術分野】
【０００１】
本発明は、ア−ムにより支持されてパネル壁及び起立メッシュ面等の所望配置
に設置可能で、容器本体の荷重の増減に応じてア−ムによる支持荷重の条件を容
易に変え得る商品陳列容器に関する。
【背景技術】
【０００２】
売り場での商品の展示・陳列は、一般的には、取付金具をパネル壁のレ−ル及
び起立メッシュ面等に係止・固着して、取付金具に後端部を固定して斜め上方向
に伸ばした陳列用金属中空ポ−ル（以下において、陳列用ポ−ルと略称する）に
ハンガ−を掛ける等して行われている。
陳列用ポ−ルの先端部は、一般的には、ポ−ルに掛けたハンガ−等の脱落を防
止するために上方向に湾曲させたフック形状するのが一般的である。
図７は、フック付きの陳列用ポ−ルの公知例を示す斜視図であって、先端がフ
ック７０になっつている陳列用ポ−ル７１が、後端部７２を取付金具７３に固定
されて前方に伸ばされている。取付金具７３は角材７４に固着される。商品（例
えば、衣類等）は、その上端部の穴に陳列用ポ−ル７１を通して吊り下げる若し
くはハンガ−を陳列用ポ−ル７１に掛けて吊り下げる等して陳列に供される。
【０００３】
図８も、商品吊り下げに用いる陳列用ポ−ルの他の公知例を示す斜視図であっ
て、陳列用ポ−ル８０は、下端部８１が取付金具８２に固定されて略垂直部と水
平部とからなるＬ字状に形成されて、取付金具８２を金属メッシュ面の金属バ−
８３、…８３に係止されている。
図９及び図１０も、他の商品吊り下げに用いる陳列用ポ−ルの他の公知例を示
す斜視図であって、陳列用ポ−ル９０が、強度を増強させた形状の取付金具９１
に固定されて、取付金具９１の上下の勾状部を壁面の太径のバ−９２、９２に係
止・固定されている。
従来の陳列用ポ−ルに関する提案は、陳列用ポ−ルの用途が商品の吊り下げに
限定されているところから、商品吊り下げ機能の改善に関するものが殆どのであ
る（特許文献１及び特許文献２を参照）。
【０００４】
特許文献１ 特公平７−１２３２７号公報
特許文献２ 特公平７−９３９０４号公報
【０００５】
従来の陳列用ポ−ルは、改善されたものでも（例えば、特許文献１及び特許文
献２を参照）、曲げ強度が弱い等の理由から、機械部品等の収納・陳列する容器
の支持に用いる等は、発想として存在せず、かつ、具体的な提案も行われていな
かった。
【発明の開示】
【発明が解決しようとする課題】
【０００６】
そこで、本発明者によって、従来の陳列用ポ−ルによって支持されて壁面等に
容易・簡単にディスプレイできる商品陳列容器の形成が、多面的（例えば、容器
形状、容器材質、支持方法、支持力配分等）に検討されて、本発明が創案された
。
（ａ）本発明は、従来の陳列用ポ−ル等によっても容易に支持・設置が可能な商
品陳列容器を提供すること、を目的とする。
（ｂ）従来の陳列用ポ−ル等の取付金具が係止可能な面であれば、容易に支持・
設置が可能な商品陳列容器を提供すること、を目的とする。
（ｃ）本発明は、容器本体の重量の増減に応じて支持力を容易に増減可能な商品
陳列容器を提供すること、をも目的とする。
（ｄ）本発明は、容器本体の形態に制約されない商品陳列容器を提供すること、
をも目的とする。
（ｅ）本発明は、パネル壁のレ−ル及び起立メッシュ面等に容易に所望配置・所
望個数を設置可能な商品陳列容器を提供すること、をも目的とする。
【課題を解決するための手段】
【０００７】
本発明による商品陳列容器は、商品を収納する容器本体とそれを下から支える
支持部とを備えて、下からア−ムより支持される構造を備える商品陳列容器であ
って、
（１）容器本体が、背面を有する立体形状を有し、
（２）支持部が、ア−ムを受ける受け部を有して、容器本体の背面下端部若しく
はその近似領域の延長方向に設けられて、
（３）容器本体底部がア−ムの前部により支持されて、支持部の受け部がア−ム
の後部により支持される構造を有して、かつ、支持部の受け部でのア−ムによる
支持位置が容器本体底部でのア−ムによる支持位置よりも低位置になる構造を有
すること、を特徴とする。
【発明の効果】
【０００８】
本発明の商品陳列容器によれば、下記（ａ）〜（ｈ）に代表される効果が得ら
れる。
（ａ）容器本体が背面を有する立体形状を有し、しかも、背面下端領域若しくは
その近似領域を下から支える配置に支持部が設けられて、その支持部の受け部を
ア−ムにより支持される構造（すなわち、容器本体の荷重が背面下端領域で支持
される構造）になっている。しかも、受け部でのア−ムによる支持位置が容器本
体底部でのア−ムによる支持位置よりも低位置になる構造になっている。
従って、容器本体荷重の多くを支持部の受け部で支持することが可能になる。
（ｂ）支持部の受け部をア−ム後端の取付金具への固定位置に近接する場所に設
置すると、容器本体荷重の多くを垂直荷重としてア−ム後端の取付金具への固定
位置（すなわち、垂直荷重を受ける強度がア−ムにおいて最大になる位置）の近
傍で支持することになる。すなわち、一般的な陳列用ポ−ルをア−ムとして使用
しても、重量物を陳列した容器本体でもア−ムにより支持が可能になる。
（ｃ）容器本体の荷重が増大しても、支持部でのア−ム受け部の配置を下方に変
変更して受け部での支持荷重の割合を大きくすることが可能になる。
（ｄ）支持部の受け部及びア−ムの数を増大させて、それによって容器本体に対
する支持荷重を容易に増大させることができる。
（ｅ）容器本体の下の側面領域及び前面領域の利用に関する自由度が増大して、
商品陳列容器としての価値を向上させる形態にすることができる。
（ｆ）ガラス製の陳列容器と等価のディスプレイ効果を与えて、しかも、製造原
価が安価である新しい商品陳列容器が提供される。
（ｇ）ア−ムの断面形状及び先端形状に制約されることがないので、各種のア−
ムによる支持が可能である。
（ｈ）商品陳列容器の場所を移動するだけで、壁面に多数の商品陳列容器を容易
緒にディスプレイすることが可能になる。
【発明を実施するための最良の形態】
【０００９】
本発明の商品陳列容器を図１〜図８の実施例に基づいて具体的に説明する。図
１〜図６は、本発明の好適な具体例ではあるが、本発明に包含される多くの具体
例の一部の例示である。なお、図１〜図６において、同一付与を付したものは、
同一若しくは同等のものもを示している。
【実施例１】
【００１０】
〈商品陳列容器の全体形状〉：
図１は、本発明の商品陳列容器の一実施例の全体形状を示す斜視図である。図
１において、商品陳列容器１は、陳列する商品を内部に収納する容器本体２とそ
れを構成する各面の下端に設けれる枠体とから構成されて、枠体は、容器本体２
の背面３の下端に連続面して設けれる容器本体２を支持するための支持部（枠部
として形成されている）４と、容器本体２の両側面５、５の下端に連続面して設
けれる枠部６、６と、容器本体２の前面を構成する透明の蓋部７（すなわち、透
明の傾斜面）から連続する傾斜面の枠部８とから形成される。商品陳列に際して
は、透明の蓋部７を上方に開いて商品を容器本体２に収納して、蓋部７を閉じて
（図１の状態）、商品陳列容器１の支持部４の受け部９、９、９、９をア−ムの
後端部に載せ（すなわち、支持部４の受け部９、９、９、９がア−ムの後端部に
より支持される状態）、容器本体２の底面１０をア−ムの先端部に載せて（すな
わち、容器本体２の底面１０がア−ムの先端部より支持される状態）、商品のデ
ィスプレイに供される状態になる、図２は、容器本体２の前面を構成する透明の
蓋部７を上方に上げた状態を示している。
なお、図１及び図２において、背面３から上方への突出部３ａは、商品陳列容
器１を商品のディスプレイに供するに際して。ディスプレイイ効果の向上及び付
与等のために設けられている。その横穴１０、１０も同様の目的に使用される。
また、商品陳列容器１の前面の傾斜枠部８とそこに設けられる穴１１、１１も商
品陳列容器１のディスプレイ効果の向上及び付与等に有効である。
【００１１】
容器本体２は、支持部４、枠部５、５及び傾斜枠部７と一体に構成されてもよ
く、連結・分離が可能な構造でもよい。図１及び図２において、容器本体２は、
内部に収納した商品に対する視認性確保のために、両側面５、５を透明なプラス
チック面にして、容器本体２の前方・斜め方向・横方向からの視認性を確保して
もよい。
また、容器本体２の背面３は、平坦面にされて、背面３の下側には、枠体から
なる支持部４が同一面で延設されている。そして、支持部（背面側の枠対）４に
は、その下端にア−ム受ける凹部からなる受け部９、９、９、９が配設されて、
それにア−ムを嵌合させる等してア−ムにより容器本体２を支持する構造になっ
ている。
【実施例２】
【００１２】
〈商品陳列容器のア−ムによる支持方法〉：
次に、商品陳列容器のア−ムによる支持方法を図３〜図６に基づいて具体的に
説明する。
図３は商品陳列容器１の背面図で、図４はア−ムにより支持される商品陳列容
器１の側面図である。図３において、支持部４には、その長手方向の中央部の両
側に下端側に開口を有する凹部からなる受け部９、９、９、９が設けられている
。受け部９、９、９、９の凹部は、ア−ムに接触する位置が長手方向の両側（図
３では、左右の位置）で同じ深さで長手方向の中央部を対象にして対にして設け
られている。
図３の受け部９、９、９、９（すなわち、凹部）は、いずれもが、同じ深さに
形成されて、４本のア−ムにより支持荷重を分散させてア−ムの後端部に嵌合し
て商品陳列容器１を支持することができる。
【００１３】
図４において、商品陳列容器１は、支持部４の受け部９、９、９、９の凹部が
ア−ム４０の後端部（すなわち、ア−ムの取付金具４１への固定位置のごく近傍
の位置）載せられて支持されている。そのために、商品陳列容器１の支持部４は
、ア−ム４０の強度が上からの荷重に対して最も強度を発揮する箇所に載せられ
ることになる。また、容器本体２の底面９のプラスチック板の前方が、上方への
曲げ加工されたア−ム４０の先端部により支持される。
しかも、支持部４の受け部９、９、９、９のア−ム４０に接触する位置が、ア
−ム４０の先端部が容器本体２の底面１０のプラスチック板に接触する位置より
も低位置にあるので、支持部４の受け部９、９、９、９が容器本体２の荷重を大
きい比率で負担することができる。
【００１４】
また、商品陳列容器１は、ごくわずか（目視で判別できない程度）に支持部４
側に傾かせても、商品陳列容器１の荷重の殆どを支持部４の凹部９、９、９、９
に負担させることができる。従って、商品陳列容器１の支持部４は、ア−ムの垂
直荷重に対する最大強度を有する箇所（すなわち、取付金具４１への固定位置の
ごく近傍の位置）で商品陳列容器１の荷重を支持することになる。図３及び図４
に示す商品陳列容器１は、背面３が平坦面になっているので、背面３を取付金具
４１に近い位置に配置可能になる。支持部４の凹部９、９、９、９は、その大き
さ・形状を変えることによって、多様な断面形状のア−ム４０を嵌合させること
ができる。
【実施例３】
【００１５】
図５は、支持部の他の具体例を示す商品陳列容器の背面図であって、その支持
部５０は、浅溝の凹部５１、５１、５１、５１と深溝の凹部５２、５２、５２、
５２を備えて、ア−ム４０を嵌合する凹部の溝深さ（すなわち、ア−ムによる支
持部５０の支持位置）を変えて、商品陳列容器から受ける支持荷重の調整が可能
にされている。
【００１６】
図６も、支持部の他の具体例を示す商品陳列容器の背面図であって、支持部６
０が、強度の大きい素材（例えば、金属若しくはプラスチック等）線状体から構
成されている。
【実施例４】
【００１７】
なお、本発明には、実施のための最良の手段として、他の多様な具体例が含ま
れる。本発明にその一部の具体例を以下に例示する。
（１）容器本体２は、プラスチックからなる一体成形品であってもよい。
（２）容器本体２は、高強度及び軽量のプラスチックか形成される。プラスチッ
クは、例えば、ポリエステル若しくはポリカ−ボネ−トからなる。
（３）取付金具４１は、任意の形状であることができる。
（４）容器本体２は、その下端部に全面・両側面・背面が連続した枠体を設けて
もよい。
（５）ア−ム４０は、下端部から先端部に向けて斜め方向に直線状に伸びる形状
であってもよい。
（６）ア−ム４０は、一般的には、金属製（特に、アルミニウム製）ではあるが
、強度が確保されるならば、材質において任意である。
（７）支持部４の受け部は、ア−ム４０による定位置での支持が可能であれば、
その形態及び構造等において任意であって、例えば、ア−ム４０による支持位置
を変化させることが可能な構造にすることができる。
【産業上の利用可能性】
【００１８】
既存の陳列用金属中空ポ−ル等のア−ムにより支持部材によりパネル壁及びび
起立メッシュ面等を利用して商品陳列容器によるディスプレイを簡単・容易に行
うことができる。
【図面の簡単な説明】
【００１９】
【図１】本発明の商品陳列容器の一実施例の全体形状を示す斜視図である。
【図２】本発明の商品陳列容器の一実施例の全体形状を示す斜視図である。
【図３】本発明の商品陳列容器の一実施例の背面図である。
【図４】ア−ムにより支持された商品陳列容器１の側面図である。
【図５】支持部の他の具体例を示す商品陳列容器の背面図である。
【図６】支持部の他の具体例を示す商品陳列容器の背面図である。
【図７】商品吊り下げに用いる陳列用ポ−ルの他の公知例を示す斜視図である。
【図８】商品吊り下げに用いる陳列用ポ−ルの他の公知例を示す斜視図である。
【図９】商品吊り下げに用いる陳列用ポ−ルの他の公知例を示す斜視図である。
【図１０】商品吊り下げに用いる陳列用ポ−ルの他の公知例を示す斜視図である。
【符号の説明】
【００２０】
１ 商品陳列容器
２ 容器本体
３ 背面
４ 支持部 
５ 容器本体の側面
６ 枠部
７ 蓋部
９ 受け部
１０ 底面
４０ ア−ム
４１ 取付金具
【図１】
2006014763.tif 000003
【図２】
2006014763.tif 000004
【図３】
2006014763.tif 000005
【図４】
2006014763.tif 000006
【図５】
2006014763.tif 000007
【図６】
2006014763.tif 000008
【図７】
2006014763.tif 000009
【図８】
2006014763.tif 000010
【図９】
2006014763.tif 000011
【図１０】
2006014763.tif 000012